(57)【要約】      （修正有）【課題】女性、男性を問わず対象者の顔の印象を分析して主として顔の的確なメイクアップを実現し得る印象分析及び化粧デザイニングカルテを提供する。【解決手段】表側４頁として、表紙ｐ１と、顔の表現図及びメイクアップイメージを記載したフェイスデザイニング頁ｐ２と、印象分析及び化粧デザイニングを行う前と、行った後の対象者の顔写真を掲載する頁ｐ３と、対象者の名前、年月日、スキンケアステップ等を記載するスキンケアステップ頁ｐ４と、を含み、裏側４頁として、対象者の１２タイプ印象ポジショニングを記載した２頁連続のインプレッションマップ頁ｐ５，ｐ６と、記号の説明の欄、１２タイプイメージされる印象等を記載したインプレッションマップガイド頁ｐ７と、対象者の第一印象等を記載するファーストインプレッションと対象者のこれからの印象表現を記載するデザイニングアドバイス頁ｐ８と、を含むものである。【選択図】図１
0003140110.tif 000002
【実用新案登録請求の範囲】
【請求項１】
所定サイズの紙葉複数枚連続綴りで、折り畳み構成とした対象者の印象分析及び化粧デザイニングカルテであって、
表紙と、
顔の表現図及びメイクアップイメージを記載したフェイスデザイニング頁と、
対象者の名前、年月日、スキンケアステップ等を記載するスキンケアステップ頁と、
対象者の印象ポジショニングを記載したインプレッションマップ頁と、
対象者の第一印象等を記載するファーストインプレッションと対象者のこれからの印象表現を記載するデザイニングアドバイス頁と、
を含むことを特徴とする対象者の印象分析及び化粧デザイニングカルテ。
【請求項２】
Ａ４サイズの紙葉４枚連続綴りで、表側４頁、裏側４頁の８頁折り畳み構成とした対象者の印象分析及び化粧デザイニングカルテであって、
表側４頁として、表紙と、顔の表現図及びメイクアップイメージを記載したフェイスデザイニング頁と、対象者のメイクアップ前後の顔写真頁と、対象者の名前、年月日、スキンケアステップ等を記載するスキンケアステップ頁と、を含み、
裏側４頁として、対象者の１２タイプ印象ポジショニングを記載した２頁連続のインプレッションマップ頁と、記号の説明の欄、１２タイプイメージされる印象等を記載したインプレッションマップガイド頁と、対象者の第一印象等を記載するファーストインプレッションと対象者のこれからの印象表現を記載するデザイニングアドバイス頁と、を含む
ことを特徴とする対象者の印象分析及び化粧デザイニングカルテ。
【請求項３】
Ａ４サイズの紙葉４枚連続綴りで、表側４頁、裏側４頁の８頁折り畳み構成とした女性である対象者の印象分析及び化粧デザイニングカルテであって、
表側４頁として、表紙と、顔の表現図及びメイクアップイメージを記載したフェイスデザイニング頁と、対象者のメイクアップ前後の顔写真頁と、対象者の名前、年月日、スキンケアステップ等を記載するスキンケアステップ頁と、を含み、
裏側４頁として、対象者に関して縦軸の若いか大人か、横軸の女性的か男性的かを指標として、キュート、ソフト、センシティブ、ゴージャス、アクティブ、クラッシィ、ミステリアス、トラディショナル、インテリジェント、クール、フレッシュ、ボーイッシュからなる１２項目の印象ポジショニングを記載した２頁連続のインプレッションマップ頁と、記号の説明の欄、１２タイプイメージされる印象等を記載したインプレッションマップガイド頁と、対象者の第一印象等を記載するファーストインプレッションと対象者のこれからの印象表現を記載するデザイニングアドバイス頁と、を含む
ことを特徴とする対象者の印象分析及び化粧デザイニングカルテ。
【請求項４】
Ａ４サイズの紙葉４枚連続綴りで、表側４頁、裏側４頁の８頁折り畳み構成とした男性である対象者の印象・性格分析及び化粧デザイニングカルテであって、
表側４頁として、表紙と、顔の表現図及びメイクアップイメージを記載したフェイスデザイニング頁と、対象者のメイクアップ前後の顔写真頁と、対象者の名前、年月日、スキンケアステップ等を記載するスキンケアステップ頁と、を含み、
裏側４頁として、対象者に関して若いか大人か、静的か動的かを指標として、スイート、ソフト、ナチュラル、フレッシュ、スポーティ、ジェントル、ダンディ、ミステリアス、ゴージャス、クール、ワイルド、ダイナミックからなる１２項目の印象ポジショニングを記載した２頁連続のインプレッションマップ頁と、記号の説明の欄、１２タイプイメージされる印象等を記載したインプレッションマップガイド頁と、対象者の第一印象等を記載するファーストインプレッションと対象者のこれからの印象表現を記載するデザイニングアドバイス頁と、を含む
ことを特徴とする対象者の印象分析及び化粧デザイニングカルテ。
【考案の詳細な説明】
【技術分野】
【０００１】
本考案は、斬新な対象者の印象分析及び化粧デザイニングカルテに関するものである。
【背景技術】
【０００２】
一般に、人間、特に女性の場合には顔の化粧の仕方によってその人の日々の生き方、人生が大きく左右されることが多々ある。例えば、いつもその人に合っていない化粧等をして生活していると、本人が気付かなくてもその人のイメージは良好ではなく、結果的にその人の人生も暗くなりがちである。
【０００３】
従来、自分に合った理想的な顔の化粧等による印象表現を簡略、かつ、客観的に知り得る手段、方法は存在しないのが実情である。
【０００４】
特許文献１には、一枚の横長の長方形シートが、短辺と平行な折り目によって３つ折りされ、化粧品の使用目的、化粧品の使用量の目安、化粧品の使い方、カウンセリング結果等を記入する構成としたカウンセリングカルテが提案されている。
【０００５】
この特許文献１の場合、主として女性の化粧に主眼をおいたものであり、対象者の印象を考慮して化粧デザイニングを行うことまでは配慮されていない。
【特許文献１】実用新案登録第２５２７１９４号公報
【考案の開示】
【考案が解決しようとする課題】
【０００６】
本考案が解決しようとする問題点は、女性、男性を問わず対象者の顔の印象を分析して主として顔の的確なメイクアップを実現し、当該対象者の的確な印象表現による好適なイメージを得ることに寄与し得るような印象分析及び化粧デザイニングカルテが存在しない点である。
【課題を解決するための手段】
【０００７】
本考案に係る対象者の印象分析及び化粧デザイニングカルテは、所定サイズの紙葉複数枚連続綴りで、折り畳み構成とした対象者の印象分析及び化粧デザイニングカルテであって、表紙と、顔の表現図及びメイクアップイメージを記載したフェイスデザイニング頁と、対象者の名前、年月日、スキンケアステップ等を記載するスキンケアステップ頁と、対象者のメイクアップ前後の顔写真頁と、対象者の印象ポジショニングを記載したインプレッションマップ頁と、対象者の第一印象等を記載するファーストインプレッションと対象者のこれからの印象表現を記載するデザイニングアドバイス頁と、を含むことを最も主要な特徴とする。
【考案の効果】
【０００８】
請求項１記載の考案によれば、所定サイズの紙葉複数枚連続綴りで、折り畳み構成からなり、顔の表現図及びメイクアップイメージ、スキンケアステップ、印象ポジショニング、第一印象等を記載するものであるから、女性、男性を問わず対象者の顔の印象を分析して主として顔の的確なメイクアップを実現し、当該対象者の的確な印象表現による好適なイメージを得ることに寄与し得る印象分析及び化粧デザイニングカルテを提供することができる。
【０００９】
請求項２記載の考案によれば、Ａ４サイズの紙葉４枚連続綴りで、表側４頁、裏側４頁の８頁折り畳みの形態で、表側４頁に、表紙と、顔の表現図及びメイクアップイメージを記載したフェイスデザイニング頁と、対象者のメイクアップ前後の顔写真頁と、対象者の名前、年月日、スキンケアステップ等を記載するスキンケアステップ頁と、を含み、裏側４頁に、対象者の１２タイプ印象ポジショニングを記載した２頁連続のインプレッションマップ頁と、記号の説明の欄、１２タイプイメージされる印象等を記載したインプレッションマップガイド頁と、対象者の第一印象等を記載するファーストインプレッションと対象者のこれからの印象表現を記載するデザイニングアドバイス頁と、を含む構成によって、女性、男性を問わず対象者の顔の印象を分析して主として顔の的確なメイクアップを実現し、当該対象者の的確な印象表現による好適なイメージを得ることに寄与し得る印象分析及び化粧デザイニングカルテを提供することができる。
【００１０】
請求項３記載の考案によれば、請求項２記載の考案と同様な構成で、かつ、インプレッションマップ頁に、縦軸の若いか大人か、横軸の女性的か男性的かを指標として、キュート、ソフト、センシティブ、ゴージャス、アクティブ、クラッシィ、ミステリアス、トラディショナル、インテリジェント、クール、フレッシュ、ボーイッシュからなる１２項目の印象ポジショニングを記載しているので、特に女性である対象者の顔の印象を分析して主として顔の的確なメイクアップを実現し、当該対象者の的確な印象表現による好適なイメージを得ることに寄与し得る印象分析及び化粧デザイニングカルテを提供することができる。
【００１１】
請求項４記載の考案によれば、請求項２記載の考案と同様な構成で、かつ、インプレッションマップ頁に、若いか大人か、静的か動的かを指標として、スイート、ソフト、ナチュラル、フレッシュ、スポーティ、ジェントル、ダンディ、ミステリアス、ゴージャス、クール、ワイルド、ダイナミックからなる１２項目の印象ポジショニングを記載しているので、特に男性である対象者の顔の印象を分析して主として顔の的確なメイクアップを実現し、当該対象者の的確な印象表現による好適なイメージを得ることに寄与し得る印象分析及び化粧デザイニングカルテを提供することができる。
【考案を実施するための最良の形態】
【００１２】
本考案は、女性、男性を問わず対象者の顔の印象を分析して主として顔の的確なメイクアップを実現し、当該対象者の的確な印象表現による好適なイメージを得ることに寄与し得る印象分析及び化粧デザイニングカルテを提供するという目的を有するものである。
本考案は、上記目的を、Ａ４サイズの紙葉４枚連続綴りで、表側４頁、裏側４頁の８頁折り畳み構成とした対象者の印象分析及び化粧デザイニングカルテであって、表側４頁として、表紙と、顔の表現図及びメイクアップイメージを記載したフェイスデザイニング頁と、対象者のメイクアップ前後の顔写真頁と、対象者の名前、年月日、スキンケアステップ等を記載するスキンケアステップ頁と、を含み、裏側４頁として、対象者の１２タイプ印象ポジショニングを記載した２頁連続のインプレッションマップ頁と、記号の説明の欄、１２タイプイメージされる印象等を記載したインプレッションマップガイド頁と、対象者の第一印象等を記載するファーストインプレッションと対象者のこれからの印象表現を記載するデザイニングアドバイス頁と、を含む構成により実現した。
【実施例】
【００１３】
以下に、本考案の実施例に係る対象者の印象分析及び化粧デザイニングカルテについて図面を参照して詳細に説明する。
【００１４】
（実施例１）
本実施例１に係る対象者（女性）の印象分析及び化粧デザイニングカルテ（以下単に「デザイニングカルテ」という）１は、図１に示すように、例えばＡ４サイズの紙葉４枚連続綴りで、表側４頁、裏側４頁の８頁折り畳み構成としている。本実施例１においては、表裏８頁を図１に示すようにｐ１〜ｐ８のように頁付け定義して以下の説明を行う。
【００１５】
前記デザイニングカルテ１は、以下の各頁構成となっている。
（１）図２に示すデザイニングの文字、イメージ画像を表した表紙（ｐ１）
（２）図３に示すフェイスデザイニング頁（ｐ２）
フェイスデザイニング頁には、顔の表現図及びメイクアップイメージ＆トータルバランスの各欄を設けている。顔の表現図は、実際に行った対象者の印象表現の図であり、また、メイクアップイメージ＆トータルバランスは、実際に行った対象者の印象表現のメイクアップ技法を解説したものである。
（３）図４に示す（Ｂｅｆｏｒｅ）及び（Ａｆｔｅｒ）からなる顔写真掲載頁（ｐ３）
印象分析及び化粧デザイニングを行う前と、行った後の対象者の顔写真を掲載する頁である。
【００１６】
（４）図５に示すスキンケアステップ頁（ｐ４）
スキンケアステップ頁は、対象者のお名前、年月日、スキンケアステップ、ベースメイクアップ、アイメイクアップ＋アイブロー及びポイントメイクアップの各欄から構成される。
前記スキンケアステップの欄は、合計６項目からなり、ベースメイクと肌の汚れを落とす実際に行ったクレンジングの方法を解説したクレンジング、実際に行ったホットタオルの使用方法を解説したホットタオル、実際に行った洗顔方法を解説した洗顔、肌に残った油分や汚れを拭き取り、水分を与えるため実際に使用した化粧水の使用方法を解説した化粧水、肌に適度な油分を与え、保湿するため実際に使用した美容液・乳液の使用方法を解説した美容液・乳液及び肌に油分と栄養を与え、保湿するため実際に使用したクリームの使用方法を解説したクリームの各項目からなる。
【００１７】
前記ベースメイクアップの欄は、合計５項目からなり、実際に行った化粧下地の施術方法を解説したものである。具体的には、肌を整え、メイクのノリをよくする下地クリームと、シミや目の下のクマなどをカバーするコンシーラー、そして肌色を補正するコントロールカラーの使用方法を解説した化粧下地、皮膚の色、キメ、質感を演出する実際に行ったファンデーションの使用方法を解説したファンデーション、顔の立体感を演出する実際に行った技法を解説したフェイスデザイニング、肌色より暗い色を使い、くぼんで見せたい部分、引き締めて見せたい部分に実際に行った影のつけ方を解説したシャドー、及び高く見せたい部分、ハリを出したい部分に、肌色より明るい色を使って光らせる実際に行った方法を解説したハイライトの各項目からなる。
【００１８】
前記アイメイクアップ＋アイブローの欄は、眉の形を整え描くアイブローと、まぶたとまつげを演出する実際に行ったアイメイクアップの表現法を図に示したものである。
前記ポイントメイクアップの欄は、頬に血色を与えるため実際に行ったチークメイクアップの方法を解説したチーク及び唇を描くため実際に行ったリップメイクアップの方法を解説したリップメイクアップの各項目からなる。
【００１９】
（５）図６に示すインプレッションマップ頁（ｐ５，ｐ６）
インプレッションマップとは、縦軸に若いと大人の対称軸を、横軸に女性的と男性的の対称軸を置いた印象ポジショニングマップ（１２タイプイメージ大分類と３５タイプイメージ小分類）である。
【００２０】
（６）図７に示すインプレッションマップガイド頁（ｐ７）
インプレッションマップガイド頁には、記号の説明の欄、１２タイプイメージされる印象の欄から構成される。記号の説明の欄には、インプレッションマップに記載された記号の説明を記載している。１２タイプイメージされる印象の欄には、インプレッションマップ頁に記載され、印象分析１で導出された大分類１２タイプの各々のイメージを解説している。
【００２１】
（７）図８に示すファーストインプレッション（あなたの第一印象）とデザイニングアドバイス（これからの印象表現）頁（ｐ８）
ファーストインプレッション欄は、印象分析１結果で導出された大分類（１２項目）の印象ポジションと印象分析２結果で導出された大分類中の小分類（３５項目）の印象ポジションを解説したものである。
【００２２】
また、デザイニングアドバイス欄は、ファーストインプレッションで導出された最も対象者の魅力的を引き立てる印象ポジションの印象表現をアドバイスとして記載するものである。
【００２３】
前記インプレッションマップ頁には、図６に示すように、縦軸の若いか大人か、横軸の女性的か男性的かを指標として、キュート、ソフト、センシティブ、ゴージャス、アクティブ、クラッシィ、ミステリアス、トラディショナル、インテリジェント、クール、フレッシュ、ボーイッシュからなる１２項目の詳細内容を表している。
【００２４】
キュート、ソフト、センシティブは、甘い少女のようなゾーンであり、この内、キュートは、かわいくてナイーブ等の印象、ソフトは、ふんわりとスイート等の印象、センシィテイブは、さわやかでデリケート等の印象が各々イメージされる。
【００２５】
フレッシュ、ボーイッシュは、元気な少年に近いゾーンであり、この内、フレッシュは、さっぱりとシンプル等の印象、ボーイッシュは、さっぱりとカジュアル等の印象が各々イメージされる。
【００２６】
クラッシィ、ミステリアス、トラディショナルは、完成された女性のゾーンであり、この内、クラッシィは落ち着いてエレガント等の印象、ミステリアスは、深みのある神秘性等の印象、トラディショナルは、意志が強くてクラシック等の印象が各々イメージされる。
【００２７】
ゴージャスは、華やかな気を放つ女性のゾーンであり、輝いてセクシー等の印象がイメージされる。アクティブは、躍動感にあふれる女性のゾーンであり、本能的にポジティブ等の印象がイメージされる。
【００２８】
インテリジェント、クールは、判断力の強い女性のゾーンであり、この内、インテリジェントは、思慮深くてスマート等の印象、クールは、若々しくてシャープ等の印象が各々イメージされる。
【００２９】
次に、本実施例１に係るデザイニングカルテ１を使用した図９、図１０に示す対象者（女性）Ｍ１の印象分析及び化粧デザイニング手法の具体例について説明する。
【００３０】
本実施例１に係るデザイニングカルテ１を使用した印象分析及び化粧デザイニング手法は、図１１に示すように、対象者（女性）Ｍ１に関して、印象分析処理を行い、これらの結果のファーストインプレイション（あなたの第一印象）を導出し、更に、これからの印象表現であるデザイニングアドバイスを行った後、実際に顔に対するメイクアップを行い、最後にデザイニングカルテ１に処理結果を記述するものである。
【００３１】
更に、詳述すると、図１２に示すように、まず、対象者（女性）Ｍ１の女性又は男性の性別を判別し、１２大分類の中から適応する大分類を導出する印象分析１を行い、印象分析１の結果を得る。更に、１２大分類の中からさらに細分化した小分類を導出する印象分析２を行い、印象分析２の結果を得る。
【００３２】
次に、印象分析１、２の結果からあなたの第一印象であるファーストインプレッション（インプレッションマップ中の大分類と小分類の印象ポジション）を導出する。
【００３３】
この後、ファーストインプレッションから導き出された印象ポジションをもとにこれからの印象表現であるデザイニングアドバイスを行い、更に、実際に顔に対するメイクアップを行い、最後にデザイニングカルテ１に処理結果を記述するものである。
【００３４】
図１３乃至図１５に以上の処理を経て記述される対象者（女性）Ｍ１に関する記述内容の一例を示す。
【００３５】
図１３は、対象者（女性）Ｍ１に関するフェイスデザイニング頁（ｐ２）の記述例を示すものであり、眉に関する印象、眉の描き方等の他、メイクアップイメージ＆トータルバランスの欄に、実際に行ったメイクアップ内容等が記述される。
【００３６】
図１４は、スキンケアステップ頁（ｐ４）の記述例を示すものであり、スキンケアステップとして、実際に行ったクレンジング、ホットタオル、洗顔、化粧水、美容液・乳液、クリームに関する事項が記述される。更に、ベースメイクアップに関する事項、アイメイクアップ＋アイブローやポイントメイクアップに関する事項も記述される。
【００３７】
図１５は、ファーストインプレッションとデザイニングアドバイス頁（ｐ８）の記述例を示すものであり、ファーストインプレッション欄には、印象分析１結果で導出された大分類の印象ポジションと印象分析２結果で導出された小分類の印象ポジションに関する事項が記述される。また、デザイニングアドバイスの欄には、対象者（女性）Ｍ１の魅力を引き立てる印象ポジションの印象表現に関する事項がアドバイスとして記述される。
【００３８】
更に、前記インプレッションマップ頁（ｐ５，ｐ６）には、印象分析結果で得られた印象ポジション（図６に四角枠で示す）が記述される。
【００３９】
本実施例１に係るデザイニングカルテ１によれば、対象者（女性）Ｍ１の客観的、合理的な主として顔の印象分析結果、顔のメイクアップデザイニング等の表現に関するデザイニングアドバイスを得ることができ、対象者（女性）Ｍ１にとって極めて有益なデザイニングカルテ１とすることができる。
【００４０】
（実施例２）
本考案の実施例２に係る対象者（男性）の印象分析及び化粧デザイニングカルテ（以下単に「デザイニングカルテ」という）１Ａについて、図１６乃至図２７を参照して説明する。
【００４１】
本実施例２に係るデザイニングカルテ１Ａも、図１に示す場合と同様、例えばＡ４サイズの紙葉４枚連続綴りで、表側４頁、裏側４頁の８頁構成としている。
前記デザイニングカルテ１Ａは、以下の各頁構成となっている。
（１）図１６に示すデザイニングの文字、イメージ画像を表した表紙（ｐ１）
（２）図１７に示すフェイスデザイニング頁（ｐ２）
【００４２】
フェイスデザイニング頁には、顔の表現図及びメイクアップイメージ＆トータルバランスの各欄を設けている。顔の表現図は、実際に行った対象者の印象表現の図であり、また、メイクアップイメージ＆トータルバランスは、実際に行った対象者の印象表現のメイクアップ技法を解説したものである。
【００４３】
（３）図１８に示す（Ｂｅｆｏｒｅ）及び（Ａｆｔｅｒ）からなる顔写真掲載頁（ｐ３）
印象分析及び化粧デザイニングを行う前と、行った後の対象者の顔写真を掲載する頁である。
【００４４】
（４）図１９に示すスキンケアステップ頁（ｐ４）
スキンケアステップ頁は、対象者のお名前、年月日、スキンケアステップ、ビューティアドバイスの各欄から構成される。
【００４５】
前記スキンケアステップの欄は、合計６項目からなり、ベースメイクと肌の汚れを落とす実際に行ったクレンジングの方法を解説したクレンジング、実際に行ったホットタオルの使用方法を解説したホットタオル、実際に行った洗顔方法を解説した洗顔、肌に残った油分や汚れを拭き取り、水分を与えるため実際に使用した化粧水の使用方法を解説した化粧水、肌に適度な油分を与え、保湿するため実際に使用した美容液・乳液の使用方法を解説した美容液・乳液及び肌に油分と栄養を与え、保湿するため実際に使用したクリームの使用方法を解説したクリームの各項目からなる。ビューティアドバイスの欄は、眉の形を整え、肌を清潔に健康に保つ方法を解説したものである。
【００４６】
（５）図２０に示すインプレッションマップ頁（ｐ５，ｐ６）
インプレッションマップとは、縦軸に若いと大人の対称軸を、横軸に静的と動的の対称軸を置いた印象ポジショニングマップ（１２タイプイメージ大分類と３２タイプイメージ小分類）である。
（６）図２１に示すインプレッションマップガイド頁（ｐ７）
インプレッションマップガイド頁には、記号の説明の欄、１２タイプイメージされる印象の欄から構成される。記号の説明の欄には、インプレッションマップに記載された記号の説明を記載している。１２タイプイメージされる印象の欄には、インプレッションマップ頁に記載され、印象分析１で導出された大分類１２タイプの各々のイメージを解説している。
【００４７】
（７）図２２に示すファーストインプレッション（あなたの第一印象）とデザイニングアドバイス（これからの印象表現）頁（ｐ８）
ファーストインプレッション欄は、印象分析１結果で導出された大分類（１２項目）の印象ポジションと印象分析２結果で導出された大分類中の小分類（３２項目）の印象ポジションを解説したものである。
【００４８】
また、デザイニングアドバイス欄は、ファーストインプレッションで導出された最も対象者の魅力的を引き立てる印象ポジションの印象表現をアドバイスとして記載するものである。
【００４９】
前記インプレッションマップガイド頁（ｐ７）は、図２０に示すように、若いか、大人か、静的か動的かを指標として、スイート、ソフト、ナチュラル、フレッシュ、スポーティ、ジェントル、ダンディ、ミステリアス、ゴージャス、クール、ワイルド、ダイナミックからなる１２項目の詳細内容を表したものである。
【００５０】
スイート、ソフトは、甘い少年のようなゾーンであり、この内、スイートは、現実よりも空想の世界を夢見る等の印象、ソフトは、理想を持ち続け、努力する等の印象が各々イメージされる。
【００５１】
ナチュラル、フレッシュ、スポーティは、爽やかな男性のゾーンであり、この内、ナチュラルは心の平和と人間の幸せを願う等の印象、フレッシュは、ほどよいエネルギーを持っている等の印象、スポーティは、活動的で好奇心にあふれている等の印象が各々イメージされる。
【００５２】
ジェントル、ダンディ、ミステリアスは、完成された男性のゾーンであり、この内、ジェントルは、接する人に好印象を与える等の印象、ダンディは、口数は少ないが信頼できる等の印象、ミステリアスは、独特の静けさと深さを持っている等の印象が各々イメージされる。
【００５３】
ゴージャスは、華やかな気を放つ男性のゾーンであり、どんな場所でも一目につく等の印象がイメージされる。クールは、判断力の鋭い男性のゾーンであり常に冷静で完全無欠を目指す等の印象がイメージされる。
【００５４】
ワイルド、ダイナミックは、躍動感にあふれる男性のゾーンで、この内、ワイルドは、たくましさと大胆さを持つ等の印象、ダイナミックは、魅力的でカリスマ性がある等の印象が各々イメージされる。
【００５５】
次に、本実施例２に係るデザイニングカルテ１Ａを使用した図２３、図２４に示す対象者（男性）Ｍ２の印象分析及び化粧デザイニング手法の具体例について説明する。
【００５６】
本実施例２に係るデザイニングカルテ１Ａを使用した印象分析及び化粧デザイニング手法は、既述した図１１、図１２に示す場合と全く同様であり、対象者（男性）Ｍ２に関して、印象分析処理を行い、これらの結果のファーストインプレイション（あなたの第一印象）を導出し、更に、これからの印象表現であるデザイニングアドバイスを行った後、実際に顔に対するメイクアップを行い、最後にデザイニングカルテ１に処理結果を記述するものである。
【００５７】
更に、詳述すると、まず、対象者（男性）Ｍ２の女性又は男性の性別を判別し、１２大分類の中から適応する大分類を導出する印象分析１を行い、印象分析１の結果を得る。更に、１２大分類の中からさらに細分化した小分類を導出する印象分析２を行い、印象分析２の結果を得る。
【００５８】
次に、印象分析１、２の結果からあなたの第一印象であるファーストインプレッション（インプレッションマップ中の大分類と小分類の印象ポジション）を導出する。
【００５９】
この後、ファーストインプレッションから導き出された印象ポジションをもとにこれからの印象表現であるデザイニングアドバイスを行い、更に、実際に顔に対するメイクアップを行い、最後にデザイニングカルテ１に処理結果を記述するものである。
【００６０】
図２５乃至図２７に以上の処理を経て記述される対象者（男性）Ｍ２に関する記述内容の一例を示す。
【００６１】
図２５は、対象者（男性）Ｍ２に関するフェイスデザイニング頁（ｐ２）の記述例を示すものであり、眉に関する印象、ホットタオルの作り方等の他、メイクアップイメージ＆トータルバランスの欄に、実際に行ったメイクアップ内容等が記述される。
【００６２】
図２６は、スキンケアステップ頁（ｐ４）の記述例を示すものであり、スキンケアステップとして、実際に行ったクレンジング、ホットタオル、洗顔、化粧水、美容液・乳液、クリームに関する事項が記述される。更に、ビューティアドバイスとして眉に関する事項、肌の水分に関する事項等が記述される。
【００６３】
図２７は、ファーストインプレッションとデザイニングアドバイス頁（ｐ８）の記述例を示すものであり、ファーストインプレッション欄には、印象分析１結果で導出された大分類の印象ポジションと印象分析２結果で導出された小分類の印象ポジションに関する事項が記述される。また、デザイニングアドバイスの欄には、対象者（男性）Ｍ２の魅力を引き立てる印象ポジションの印象表現に関する事項がアドバイスとして記述される。
更に、前記インプレッションマップ頁（ｐ５，ｐ６）には、印象分析結果で得られた印象ポジション（図２０に四角枠で示す）が記述される。
【００６４】
本実施例２に係るデザイニングカルテ１Ａによれば、対象者（男性）Ｍ２の客観的、合理的な主として顔の印象分析結果、顔のメイクアップデザイニング等の表現に関するデザイニングアドバイスを得ることができ、対象者（男性）Ｍ２にとって極めて有益なデザイニングカルテ１Ａとすることができる。
【産業上の利用可能性】
【００６５】
本考案は、上述したような対象者（女性又は男性）の客観的、合理的な主として顔の印象分析、顔のメイクアップデザイニング等の表現に関するデザイニングアドバイスを行うために利用する他、対象者（女性又は男性）のドレス等の服装イメージ等に関するアドバイスを行うため利用することも可能である。
【図面の簡単な説明】
【００６６】
【図１】本考案の実施例１に係るデザイニングカルテの概略展開斜視図である。
【図２】本実施例１に係るデザイニングカルテの表紙を示す平面図である。
【図３】本実施例１に係るデザイニングカルテのフェイスデザイニング頁を示す平面図である。
【図４】本実施例１に係るデザイニングカルテの対象者のメイクアップ前後の顔写真頁を示す平面図である。
【図５】本実施例１に係るデザイニングカルテのスキンケアステップ頁を示す平面図である。
【図６】本実施例１に係るデザイニングカルテのインプレッションマップ頁を示す平面図である。
【図７】本実施例１に係るデザイニングカルテのインプレッションマップガイド頁を示す平面図である。
【図８】本実施例１に係るデザイニングカルテのファーストインプレッションとデザイニングアドバイス頁を示す平面図である。
【図９】本実施例１に係るデザイニングカルテを利用する対象者（女性）の顔（メイクアップ前）の画像である。
【図１０】本実施例１に係るデザイニングカルテにおける対象者（女性）の顔（メイクアップ後）の画像である。
【図１１】本実施例１に係るデザイニングカルテを使用した印象分析及び化粧デザイニング手法の処理の流れを示すフローチャートである。
【図１２】本実施例１に係るデザイニングカルテを使用した印象分析及び化粧デザイニング手法の詳細な処理の流れを示すフローチャートである。
【図１３】本実施例１に係るデザイニングカルテにおけるフェイスデザイニング頁の記述例を示す図である。
【図１４】本実施例１に係るデザイニングカルテにおけるスキンケアステップ頁の記述例を示す図である。
【図１５】本実施例１に係るデザイニングカルテにおけるファーストインプレッションとデザイニングアドバイス頁の記述例を示す図である。
【図１６】本考案の実施例２に係るデザイニングカルテの表紙を示す平面図である。
【図１７】本実施例２に係るデザイニングカルテのフェイスデザイニング頁を示す平面図である。
【図１８】本実施例２に係るデザイニングカルテの対象者のメイクアップ前後の顔写真頁を示す平面図である。
【図１９】本実施例２に係るデザイニングカルテのスキンケアステップ頁を示す平面図である。
【図２０】本実施例２に係るデザイニングカルテのインプレッションマップ頁を示す平面図である。
【図２１】本実施例２に係るデザイニングカルテのインプレッションマップガイド頁を示す平面図である。
【図２２】本実施例２に係るデザイニングカルテのファーストインプレッションとデザイニングアドバイス頁を示す平面図である。
【図２３】本実施例２に係るデザイニングカルテを利用する対象者（男性）の顔（メイクアップ前）の画像である。
【図２４】本実施例２に係るデザイニングカルテにおける対象者（男性）の顔（メイクアップ後）の画像である。
【図２５】本実施例２に係るデザイニングカルテにおけるフェイスデザイニング頁の記述例を示す図である。
【図２６】本実施例２に係るデザイニングカルテにおけるスキンケアステップ頁の記述例を示す図である。
【図２７】本実施例２に係るデザイニングカルテにおけるファーストインプレッションとデザイニングアドバイス頁の記述例を示す図である。
【符号の説明】
【００６７】
１    デザイニングカルテ
１Ａ  デザイニングカルテ
ｐ１  表紙
ｐ２  フェイスデザイニング頁
ｐ３  メイクアップ前後の顔写真頁
ｐ４  スキンケアステップ頁
ｐ５，ｐ６  インプレッションマップ頁
ｐ７  インプレッションマップガイド頁
ｐ８  ファーストインプレッションとデザイニングアドバイス頁
Ｍ１  対象者（女性）
Ｍ２  対象者（男性）
【図１】
0003140110.tif 000003
【図２】
0003140110.tif 000004
【図３】
0003140110.tif 000005
【図４】
0003140110.tif 000006
【図５】
0003140110.tif 000007
【図６】
0003140110.tif 000008
【図７】
0003140110.tif 000009
【図８】
0003140110.tif 000010
【図９】
0003140110.tif 000011
【図１０】
0003140110.tif 000012
【図１１】
0003140110.tif 000013
【図１２】
0003140110.tif 000014
【図１３】
0003140110.tif 000015
【図１４】
0003140110.tif 000016
【図１５】
0003140110.tif 000017
【図１６】
0003140110.tif 000018
【図１７】
0003140110.tif 000019
【図１８】
0003140110.tif 000020
【図１９】
0003140110.tif 000021
【図２０】
0003140110.tif 000022
【図２１】
0003140110.tif 000023
【図２２】
0003140110.tif 000024
【図２３】
0003140110.tif 000025
【図２４】
0003140110.tif 000026
【図２５】
0003140110.tif 000027
【図２６】
0003140110.tif 000028
【図２７】
0003140110.tif 000029